(57)【要約】  【課題】  海岸等に築造される緩傾斜護岸堤上を人が歩行しても藻類によってスリップすることなく安全に歩行できるようにする。  【解決手段】  本発明は多数の護岸ブロック２，２…を階段状に築造して成る階段式緩傾斜護岸堤１において、藻類が付着し易い箇所における各護岸ブロック２，２…上面に複数の条状突起４，４…を所定間隔を有して横方向に並設し、更に、該条状突起４，４…間に砂５，５…を充填して堆積させたことを特徴とする階段式緩傾斜護岸堤におけるすべり防止機構を提供する。【選択図】図１
2008156854.tif 000002
【特許請求の範囲】
【請求項１】
多数の護岸ブロックを階段状に築造して成る階段式緩傾斜護岸堤において、藻類が付着し易い箇所における各護岸ブロック上面に複数の条状突起を所定間隔を有して横方向に並設し、更に、該条状突起間に砂を充填して堆積させたことを特徴とする階段式緩傾斜護岸堤におけるすべり防止機構。
【請求項２】
多数の護岸ブロックを階段状に築造して成る階段式緩傾斜護岸堤において、藻類が付着し易い箇所における各護岸ブロック上面に複数の条状突起を所定間隔を有して横方向に並設し、更に、各条状ブロック間に、砂を堆積でき、且つ、人の歩行に支障がない程度の凹凸や間隙を有する不織布、織布、マット等を敷設し、該不織布、織布、マット等の上面に砂を充填して堆積させたことを特徴とする階段式緩傾斜護岸堤におけるすべり防止機構。
【請求項３】
上記条状突起はゴム、プラスチック、コンクリート、木材、鉄等から成る請求項１又は２記載の階段式緩傾斜護岸堤におけるすべり防止機構。
【請求項４】
上記条状突起の断面形状は多角形、半円形、平行四辺形を有して、遡上した浮遊砂を捕捉するとともに、沖側へ砂の流出を抑止できるように形成されたことを特徴とする請求項１、２又は３記載の階段式緩傾斜護岸堤におけるすべり防止機構。
【請求項５】
上記条状突起は藻類やぬめりが付着しないように加工されて成ることを特徴とする請求項１、２、３又は４記載の階段式緩傾斜護岸堤におけるすべり防止機構。
【発明の詳細な説明】
【技術分野】
【０００１】
本発明は、階段式緩傾斜護岸堤におけるすべり防止機構に関するものであり、特に、歩行者が滑って転倒し易い危険箇所に砂を捕捉できる機能を有し、海岸、河川、湖沼等の護岸堤に適用される階段式緩傾斜護岸堤におけるすべり防止機構に関するものである。
【背景技術】
【０００２】
従来、海岸、河川、湖沼等における緩傾斜護岸堤は、一般に複数のコンクリート製の護岸ブロックを階段状に築造して形成されている。或いはコンクリートを階段状に現場打設して築造されている。このような緩傾斜護岸堤においては、水際付近の護岸ブロック表面に藻類などが付着し滑り易くなる。このため、該藻類等が付着した階段状の護岸ブロックや現場打設コンクリート堤上を人が歩行すると、足を滑らせて転倒する等の危険がある。
【０００３】
そこで、上記危険を防止する対策として特許文献１記載の水ぬれ面のすべり防止機構が提案されている。この特許文献１記載のすべり防止機構はブロック表面に縁を形成し、その中に可撓性の棒状体を多数並設せしめ、且つ、各棒状体の間隙部に細粒物を充填して成るものである。
【特許文献１】第２５９９２６６号特許公報
【発明の開示】
【発明が解決しようとする課題】
【０００４】
上記特許文献１記載の発明は以下に示す問題点がある。
ａ：棒状体は可撓性を有する物質であり、細粒物が該棒状体間に存在していない場合にその上を人が歩行したときには、すべる危険があり、且つ、該棒状体上に人の荷重が負荷されたとき該棒状体の物質が撓み、人はバランスを崩して転倒するという危険性がある。
ｂ：棒状体が波浪の影響によって飛散してしまった場合には、この対策工としての効果を発揮することはできない。
ｃ：表面に多数の棒状体を設置するため、施工期間が長くなる。
ｄ：細粒物が堆積していない場合には、棒状体が階段上表面で非常に目立ち景観を損なう。
【０００５】
そこで、上記特許文献１記載の発明の有する欠陥に鑑み、海岸等に築造されている緩傾斜護岸堤において、砂を効率良く捕捉し、藻類の付着する箇所をなくするとともに、捕捉した砂がブロック表面を移動することによってブロック上に付着した藻類をそぎ落とすことができ、確実にすべり止め効果を発揮できる階段式緩傾斜護岸堤におけるすべり防止機構を提案するために解決せられるべき技術的課題が生じてくるのであり、本発明は該課題を解決することを目的とする。
【課題を解決するための手段】
【０００６】
本発明は上記目的を達成するために提案せられたものであり、請求項１記載の発明は、多数の護岸ブロックを階段状に築造して成る階段式緩傾斜護岸堤において、藻類が付着し易い箇所における各護岸ブロック上面に複数の条状突起を所定間隔を有して横方向に並設し、更に、該条状突起間に砂を充填して堆積させた階段式緩傾斜護岸堤におけるすべり防止機構を提供するものである。
【０００７】
この構成によれば、階段状に築造された各緩傾斜護岸堤表面に設けられている条状突起は、之等条状突起間に充填された砂を良く捕捉してその流出を防止しているので、歩行者は緩傾斜護岸堤上において前記砂面を歩行することになる。
【０００８】
又、請求項２記載の発明は、多数の護岸ブロックを階段状に築造して成る階段式緩傾斜護岸堤において、藻類が付着し易い箇所における各護岸ブロック上面に複数の条状突起を所定間隔を有して横方向に並設し、更に、各条状ブロック間に、砂を堆積でき、且つ、人の歩行に支障がない程度の凹凸や間隙を有する不織布、織布、マット等を敷設し、該不織布、織布、マット等の上面に砂を充填して堆積させた階段式緩傾斜護岸堤におけるすべり防止機構を提供するものである。
【０００９】
この構成によれば、階段状に築造された各緩傾斜護岸堤表面に設けられている各条状突起間に敷設された不織布、織布、マット等は、之等不織布、織布、マット等上に充填された砂をより極めて効率良く捕捉して流出を防止し、依って、歩行者は常に砂面を歩行することが可能となる。
【００１０】
更に又、請求項３記載の発明は上記条状突起はゴム、プラスチック、コンクリート、木材、鉄等から成る階段式緩傾斜護岸堤におけるすべり防止機構を提供するものである。
【００１１】
この構成によれば、上記条状突起がゴム、プラスチック、コンクリート、木材、鉄等の何れの部材によっても形成でき、作業性が良い。
【００１２】
又、請求項４記載の発明は上記条状突起の断面形状は多角形、半円形、平行四辺形を有して、遡上した浮遊砂を捕捉するとともに、沖側へ砂の流出を抑止できるように形成された階段式緩傾斜護岸堤におけるすべり防止機構を提供するものである。
【００１３】
この構成によれば、上記条状突起の各断面形状を採択することにより、遡上する砂を捕捉するとともに、各条状突起間に堆積している砂が沖側へ流出するのを抑制する。
【００１４】
更に又、請求項５記載の発明は上記条状突起は藻類やぬめりが付着しないように加工されて成る階段式緩傾斜護岸堤におけるすべり防止機構を提供するものである。
【００１５】
この構成によれば、上記条状突起は防藻塗料による塗装或いは光触媒コーティング加工、コーラル吹付によって表面加工が施される。
【発明の効果】
【００１６】
請求項１記載の発明は、階段状に築造された各緩傾斜護岸堤表面に設けられている条状突起が、之等各条状突起間に堆積している砂を捕捉して各条状突起間からの流出を防止しているから、歩行者が該緩傾斜護岸堤上を歩行するとき、常に前記砂面を歩行することになり、依って、スリップして転倒する等の危険が阻止される。更に、前記条状突起間に堆積している砂は、該条状突起間において該緩傾斜護岸ブロックの表面を移動して該緩傾斜護岸ブロック上面に付着している藻類やぬめりをそぎ落とす等の効果を奏する。斯くして、歩行者は極めて安全に該緩傾斜護岸堤上を歩行することが可能となる。
【００１７】
請求項２記載の発明は、各緩傾斜護岸堤表面に設けられている各条状突起間に敷設された不織布、織布、マット等によりこの上面に充填されている砂を良く捕捉してその流出を防止するので、各傾斜護岸堤表面には常時砂が堆積されており、依って、歩行者はこの砂面を歩行することになり、スリップして転倒する等の危険はなく、極めて安全に歩行することが可能となる。
【００１８】
請求項３記載の発明は、条状突起がゴム、プラスチック、コンクリート、木材、鉄等の何れの材料によっても形成することができるので、請求項１又は２記載の発明の効果に加え、特に緩傾斜護岸堤に本発明を構築する際の作業性が良好となる。
【００１９】
請求項４記載の発明は、上記条状突起の断面形状を多角形、半円形、平行四辺形等の何れかに形成することにより、海岸、河川等において遡上した浮遊砂が該条状突起間に捕捉され、且つ、該条状突起間に堆積している砂の沖側への流出を抑止する。斯くして、請求項１、２又は３記載の発明における砂の捕捉及び流出防止効果を一層助成することができる。
【００２０】
請求項５記載の発明は上記条状突起は防藻塗料によって塗装され、或いは光触媒コーティング又はコーラル吹付等によって加工されているので、上記請求項１、２、３又は４記載の発明の効果に加え、歩行者が該条状突起上を歩行してもスリップすることなく一層安全に緩傾斜護岸堤上を歩行することが可能となる。
【発明を実施するための最良の形態】
【００２１】
本発明は海岸等に築造されている緩傾斜護岸堤上を人が歩行しても藻類等によってスリップすることなく安全に歩行できるようにすると云う目的を達成するために、多数の護岸ブロックを階段状に築造して成る階段式緩傾斜護岸堤において、藻類が付着し易い箇所における各護岸ブロック上面に複数の条状突起を所定間隔を有して横方向に並設し、更に、該条状突起間に砂を充填して堆積させたことを特徴とする階段式緩傾斜護岸堤におけるすべり防止機構を提供することによって実現した。
【実施例】
【００２２】
以下、本発明の好適な一実施例を図１乃至図７に従って説明する。図１は緩傾斜護岸堤１を示す平面図である。該緩傾斜護岸堤１は海岸、河川、湖沼等に築造されており、且つ、一般に多数のコンクリート製の護岸ブロック２，２…を階段状に築造して構成される。又は、現場打設コンクリート階段方式にて築造される。このような緩傾斜護岸堤１においては、水際付近の護岸ブロック２，２…表面又は前記現場打設コンクリート階段方式にて築造した護岸堤表面に、藻類やぬめり等が付着して滑り易くなる。
【００２３】
このため、該藻類等が付着した護岸ブロック２，２…等上を人が歩行するとき、足を滑らせて転倒し、又は怪我することもある。そこで、図１の下半分の左右側部には人が進入しないように多数の自然石３，３…を所定高さに積み重ねて人の非進入箇所Ｗ，Ｗとし、そして、該人の非進入箇所Ｗ，Ｗ間に人の進入通路Ｚを設けて、人の非進入箇所Ｗと人の進入通路Ｚとを区分している。勿論、人の非進入箇所Ｗ及び人の進入通路Ｚのレイアウトは任意に決定されるものとする。
【００２４】
而して、前記人の進入通路Ｚは海岸等の水際付近であり、従って、海水に侵水されて藻類が付着し、人が歩行するとき、滑り易く危険箇所となる。そこで、この危険箇所即ち、人の進入通路Ｚにおける緩傾斜護岸堤１の各護岸ブロック２，２…上面に横方向に条状突起４，４…を所定間隔Ｌを有して並設している。前記所定間隔Ｌは人の足が入る程度であることを可とする。
【００２５】
而して、各前後の条状突起４，４…間には砂５，５…が充填される。そこで、該充填された砂５，５…は前後の条状突起４，４…間に捕捉されて堆積し、該条状突起４，４…から沖側へ流出することが阻止される。
【００２６】
図２は前記階段状に築造された緩傾斜護岸堤１の一部切欠平面図であり、図３は図２のＡ−Ａ線断面図である。図２及び図３は護岸ブロック２，２…を３段階に築造されており、而も、該護岸ブロック２，２…には夫々前端部から後端部間に所定間隔Ｌを有して横方向（水平方向）に５条の条状突起４を略平行に設けている。
【００２７】
尚、上記Ｌの間隔は人の足が入る程度に形成されるを可とする。然るときは、条状突起４，４…間に充填される砂５，５…の捕捉を確実にするとともに、該条状突起４，４…間の砂５，５…上を人が歩行するに適することになる。勿論、このような構成に限定せられるべきではない。
【００２８】
又、図示は省略するが、前記条状突起４，４…間には夫々人の歩行に支障がない程度の凹凸や間隙を有する不織布、織布、マット等を前記砂５，５…を充填する前に敷設し、そして、之等不織布、織布、マット等の上面に前記砂５，５…を充填する。然るときは該砂５，５…は上記条状突起間に捕捉されるが、前記不織布等を敷設することにより該砂５，５…は更に該不織布等によっても捕捉堆積されるとともに、人が歩行するとき、足のすべりが阻止され、安全に該緩傾斜護岸堤１上を歩行することが可能となる。
【００２９】
又、藻類が該緩傾斜護岸堤１に付着しようとしても、前記砂５，５…が前記条状突起４，４…間における海水の流動に追随して移動することにより、該藻類はそぎ落とされることになり、依って、前記人の進入通路Ｚ上を人が歩行しても該藻類に起因するスリップ等によって転倒することなく、安全に歩行することが可能となる。
【００３０】
又、前記条状突起４はこの上を人が直接歩行する際に、前記付着する藻類等によってすべらないように防藻塗料或いは光触媒コーティング又はコーラル吹付加工等が施されている。但し、之等の加工に限定せられるべきではない。
【００３１】
更に又、該条状突起４はゴム、プラスチック、コンクリート、木材、鉄等の材料によって任意に形成される。従って、既設の緩傾斜護岸堤１に之等の何れかを採択して構成すれば、作業性が極めて良好となる。
【００３２】
又、該条状突起４の断面形状を多角形、半円形、平行四辺形等に形成することにより、海水の流動によって遡上する浮遊砂を捕捉するとともに、沖側へ砂を流出されることを抑止することもできる。
【００３３】
次に、図４乃至図７に従って護岸ブロック２の具体例を説明する。図４は該護岸ブロック２の正面図、図５は図４の側面図、図６は図４の平面図である。図７は該護岸ブロック２上に砂５，５…を充填した状態を示す一部切欠側面図である。
【００３４】
而して、該護岸ブロック２は前面左右を前方へ突出する如く湾曲して形成されており、従って、該護岸ブロック２上に設けられる前記条状突起４，４…のうち前端部の条状突起４は前記護岸ブロック２の前端部の形状に合わせて湾曲して形成してある。又、後方の条状突起４，４は直線状に形成され、夫々所定間隔Ｌを有して設けられている。
【００３５】
而して、該護岸ブロック２は図５に示すように後方（図５において右側）下半部を突設して控部６を有し、該控部６上に之に連設される上方の護岸ブロック２の前方部が図７の鎖線で示すように載置されて階段状に之等護岸ブロック２，２…が築造され、緩傾斜護岸堤１が形成されるのである。
【００３６】
尚、図中符号７はフックである。該フック７は隣接の護岸ブロック２と針金等にて結合するときに用いられる。
【００３７】
次に、前記護岸ブロック２上面に前記条状突起４，４…を形成するための一実施例を図７に従って説明する。図７においては該条状突起４，４…は３条が現われている。左側、即ち、護岸ブロック２の前端部（図６において手前側、図７において左側）は前述したように湾曲して形成されており、且つ、前端部の該条状突起４も該護岸ブロック２の前端部
の形状に合わせて形成されているため、前端部の条状突起４を護岸ブロック２に固定するためのボルト様の固定具８は図７において二本が図示されているが、該前端部の条状突起４は勿論１条である。
【００３８】
而して、図７に示すように、該条状突起４及び該条状突起４を固定すべき箇所における護岸ブロック２に夫々前記ボルト様の固定具８の挿入孔が開穿され、該ボルト様の固定具８を該条状突起４の上面から挿入して該固定具８の下部を護岸ブロック２に設けた固定具８の挿入孔に挿入し、硬化剤を注入して該固定具８を護岸ブロック２に固定すると同時に該条状突起４を該護岸ブロック２上面に固定する。然る後、該条状突起４，４…間に砂５，５…が充填されて安全歩行に供せられるのである。但し、該条状突起４の固定手段は之に限定せられるべきではない。
【００３９】
尚、本発明は、本発明の精神を逸脱しない限り種々の改変を為すことができ、そして、本発明が該改変されたものに及ぶことは当然である。
【図面の簡単な説明】
【００４０】
【図１】本発明を海岸に適用した一実施例を示し、その平面図。
【図２】本発明の緩傾斜護岸堤を示す一部切欠平面図。
【図３】図２のＡ−Ａ線断面図。
【図４】本発明の護岸ブロックの正面図。
【図５】図４の右側面図。
【図６】図４の平面図。
【図７】図４の護岸ブロックに条状突起を設け、その間に砂を充填した状態を示す一部切欠右側面図。
【符号の説明】
【００４１】
１        緩傾斜護岸堤
２        護岸ブロック
３        自然石
４        条状突起
５        砂
６        控部
７        フック
８        固定具
【図１】
2008156854.tif 000003
【図２】
2008156854.tif 000004
【図３】
2008156854.tif 000005
【図４】
2008156854.tif 000006
【図５】
2008156854.tif 000007
【図６】
2008156854.tif 000008
【図７】
2008156854.tif 000009